(57)【要約】【課題】結束バンドを改良して、結束機能が強固であり、結束操作に際してバンドの表裏を誤る恐れが無く、しかも軽い操作力で十分な結束効果を発揮し得るようにする。【解決手段】バンド状部材１の両側の縁に沿わせて第１の係止歯列１ａおよび第２の係止歯列１ｂを形成し、その間に長孔１ｃを設ける。バックル２はバンド状部材１を差し込むバンド挿通孔２ａを有し、その内側に第１の係止爪２ｂおよび第２の係止爪２ｃを形成されるとともに、キー溝２ｄが設けられている。バンド状部材１にはキー溝２ｄに対応するキー突起１ｅが設けられていて、バンド状部材１が裏向きに差し込まれないように規制している。【選択図】図１
2017206273.tif 000002
【特許請求の範囲】
【請求項１】
係止歯列が一体的に形成されたフレキシブルなバンド状部材と、該バンド状部材を挿通せしめるバックルと、該バックルに設けられた係止爪とを備えた結束バンドにおいて、
前記バンド状部材の幅方向両端の縁に沿って、それぞれ係止歯列が形成されるとともに、双方の係止歯列の間に長孔が形成されており、
かつ前記バンド状部材にキー突起が形成されるとともに、前記バックルのバンド挿通孔にキー溝が設けられていて、前記バックルに対する前記バンド状部材の表裏方向が規制される結束バンド。
【請求項２】
前記バンド状部材の長さ方向端部付近に指掛孔が設けられている、請求項１に記載の結束バンド。
【請求項３】
前記長孔が複数個設けられていて、隣接する２個の該長孔の間に補強細バンドが形成されている、請求項１または２に記載の結束バンド。
【発明の詳細な説明】
【技術分野】
【０００１】
本発明は、主に袋状容器を密封したり、複数の細長い物品（ケーブル等）を束ねたりするために用いられる結束バンド（Cable Ties）、具体的には、列設された係止歯を設けたバンド状部材、および該係止歯に噛合する係止爪を設けたバックルを有するフレキシブルなバンド状の結束具である結束バンドに関する。
【背景技術】
【０００２】
結束バンドは、被結束物のまわりに巻き付けて、バンド状部材（ストラップ部）の一端側をバックル（ヘッド部）のバンド挿通孔に通し、ラチェット機構を利用して締め付けることによって素早く、かつ簡単に結束をすることができ、また可撓性のある素材で作られ柔軟性があることから締め付け作業が容易であり、さらには耐久性、耐候性、引張強度等の点でも優れていることから、各種物品の結束用資材として広く一般に使用されている。通常、平たく細長い１本のバンド状部材と、１つのバックルを有し、これらが一体成形された合成樹脂製の結束バンドが使用されているが、約４０年前に我が国で初めて使用されて以来、各種構成のものが改良、創作されている。
【０００３】
結束バンドの改良例は多数報告されているが、例えば、特許文献１には、ワイヤハーネスを損傷することがなく、耐久性に富み、確実な結束を行うことができる結束バンドとして、第１結束バンドと、前記第１結束バンドに並ぶように設けられた第２結束バンドと、 前記第１、第２結束バンドを連結する連結部とを備え、２本のバンド状部材を着脱可能に構成した結束バンドが開示されている。
【０００４】
また、特許文献２には、予期しない解除が発生せず、安全に結束が維持される結束バンドとして、一端に配置された頭部と、この頭部の側方より延長された平板状で片面に止め歯を形成したバンド部とからなり、前記頭部に配置された前記バンド部を挿通するための貫通孔と、前記貫通孔を形成する壁面であって前記バンド部の表面を受ける壁面に向かって延長され、前記バンド部の鋸歯面と噛合する係合爪を有し、前記係合爪は爪部と反対側に延長する解除レバーを前記バンド部の表面に平行して延長しており、前記解除レバーよりバンド部の先端側に表面にバックルを設け、前記頭部の貫通孔を挿通して結束したバンド部を前記解除レバーの上面を覆って前記バックルに挿通し、前記解除レバーを保護するように構成した合成樹脂製結束バンドが提案されている。
【先行技術文献】
【特許文献】
【０００５】
【特許文献１】特開２００５−２２９７５２号公報
【特許文献２】特開２００８−３９１９０号公報
【発明の概要】
【発明が解決しようとする課題】
【０００６】
前述したように、結束バンドは、一般に柔軟な合成樹脂製であって、バンド状部材と、バックルとが一体成形されており、係止用の歯（以下、「係止歯」という）がバンド状部材の片面に列設され、ラチェットとして機能する爪状部材（以下、「係止爪」という）はバックルの中に一体的に形成されている。
【０００７】
このため、バックルに形成されているバンド挿通孔に対してバンド状部材の先端を差し込む際、係止歯と係止爪が噛合して係止機能が発揮されるように、バンド状部材の表裏に留意しなければならず、これを間違えると係止機能が働かない。
【０００８】
しかしながら、バックルにバンド状部材の先端を差し込む際に、バンド状部材の表裏に対して、いちいち注意を払うことは面倒であり、バンド挿通孔へのバンド状部材の差し込みを試みて、初めて表裏の誤りに気づく場合も少なくない。特に、老人や子供等にとっては、バンド状部材の表裏に留意することは必ずしも容易とはいえない。
【０００９】
また、大地震のような非常災害時においては、多量のゴミが発生するが、ゴミを廃棄するにあたって、素早くかつ確実に袋状容器を密封することが望まれる。しかし、従来の結束バンドでは、こうした要求に十分に応えることはできない。
【００１０】
また、従来の結束バンドは、結束強度が必ずしも十分とはいえず、例えば、袋状容器の開口部を結束バンドで閉じても、締め付けが十分でないため、袋状容器内の内容物自体や臭いが漏れ出す恐れがある。
【００１１】
そこで、本発明は、上述の事情に鑑みてなされたものであって、結束機能が確実強固であり結束信頼性に優れ、また、結束操作に際してバンド状部材の表裏を誤る恐れが無く、しかも軽い操作力で十分な結束効果を発揮し得る結束バンドを提供することを目的とする。
【課題を解決するための手段】
【００１２】
本発明者は、上記目的を達成するために鋭意検討した結果、本発明の結束バンドを創作するに至った。すなわち、
請求項１に記載の発明は、係止歯列が一体的に形成されたフレキシブルなバンド状部材と、該バンド状部材を挿通せしめるバックルと、該バックルに設けられた係止爪とを備えた結束バンドにおいて、
前記バンド状部材の幅方向両端の縁に沿って、それぞれ係止歯列が形成されるとともに、双方の係止歯列の間に長孔が形成されており、
かつ前記バンド状部材にキー突起が形成されるとともに、前記バックルのバンド挿通孔にキー溝が設けられていて、前記バックルに対する前記バンド状部材の表裏方向が規制される結束バンドである。
【００１３】
請求項２に記載の発明は、前記請求項１に記載の発明の特徴に加えて、前記バンド状部材の長さ方向端部付近に指掛孔が設けられていることを特徴とする結束バンドである。前記「長さ方向端部」とは、バンド状部材がバックルに接続されていない方の自由端をいう。
【００１４】
請求項３に記載の発明は、前記請求項１または２に記載の発明の特徴に加えて、前記長孔が複数個設けられていて、隣接する２個の該長孔の間に補強細バンドが形成されていることを特徴とする結束バンドである。
【発明の効果】
【００１５】
本発明は、以上のように構成されているため、以下に記載されるような効果を奏する。
請求項１に記載の発明を適用すると、被結束物品の広い範囲を強固に締め付けて結束することができ、かつ格別に注意しなくてもバンドの表裏を誤る恐れが無い。その結果、結束バンドの結束信頼性、結束作業性が従来製品に比べて格段に向上する。従来の結束バンドに比べて、袋状容器等の被結束物品内の内容物やその臭いが外に漏れ出すことをより有効に防ぐことができる。
【００１６】
請求項２に記載の発明を適用すると、請求項１に記載の発明に係る効果に加えて、軽い操作力で十分な結束力が得られ、老幼婦女子でも取り扱い易い。
【００１７】
請求項３に記載の発明を適用すると、請求項１または２に記載の発明に係る効果に加えて、被結束物のより広い範囲を強固に締め付けて結束することができる。
【図面の簡単な説明】
【００１８】
【図１】本発明に係る結束バンドの１実施形態を示す平面図である。
【図２】前記実施形態の結束バンドを湾曲させて、その先端をバックルの挿通孔に対向させた状態の斜視図である。
【図３】前記実施形態の作用効果を説明するために示した図であって、（Ａ）はバックルの挿通孔付近を表すイメージ図、（Ｂ）および（Ｃ）はそれぞれバンド先端付近の横断面を表すイメージ図である。（Ｄ）は、（Ａ）と（Ｂ）とを組み合わせた模式図である。
【図４】請求項３に記載の発明に係る結束バンドの１実施形態を示す平面図である。
【発明を実施するための形態】
【００１９】
以下、本発明について、添付図面を参照して詳細に説明する。なお、以下の説明において、図面との対照が容易なように括弧書きで図面符号を付記してあるが、この括弧付き符号は、本発明の構成要件を図面のとおりに限定するものではない。
【００２０】
図１は、本発明に係る結束バンドの１実施形態を示す平面図である。本実施形態のバンド状部材１は、従来一般の結束バンドが備える、平たく細長いバンド状部材よりも幅広に形成されている。また、バンド状部材１の幅方向両側の縁に沿って、それぞれ第１の係止歯列１ａ及び第２の係止歯列１ｂが形成されるとともに、双方の係止歯列の間に長孔１ｃが形成されている。その結果、バンド状部材１は見掛け上、平行な２本の細いバンド状部材が一体に形成された形状をなしている。ここにおいて、前記「幅広に」や「細い」は、説明の便宜上、感覚的に表現した語句であって、本発明の構成を限定するものではない。なお、本発明において「長孔」とは、長径と短径とを有する孔をいう。ただし、円孔を列設した構成も長孔と均等である。
【００２１】
図１において、バンド状部材１の上端にバックル２が一体成形されている。該バンド状部材の下端は、バックルに対する挿入側の端（段落００１３で述べた長さ方向端部）である。
【００２２】
バックル２には、バンド状部材１を挿入するためのバンド挿通孔２ａが設けられており、該挿通孔の内側に第１の係止爪２ｂと第２の係止爪２ｃとが設けられている。第１の係止爪２ｂは、前記第１の係止歯列１ａに対応して噛合する構成部分であり、第２の係止爪２ｃは、前記第２の係止歯列１ｂに対応して噛合する構成部分である。
【００２３】
一般に、バンド状部材の幅寸法に別段の規制は無いが、本実施形態における前記「細いバンド状部材」の幅寸法は、周知の結束バンドと同程度の幅寸法（約６ｍｍ）である。したがって、一般の結束バンドに比して約２倍の抗張力による強力な結束強度が期待される。
【００２４】
本発明に係る結束バンドは、一般にフレキシブルな合成樹脂によって成形され、バンド状部材１とバックル２とが一体に構成されている。合成樹脂としては、ナイロン１２、ナイロン６６、ポリプロピレン、フッ素樹脂、ポリアセタール、ポリエーテルエーテルケトン等が挙げられる。
【００２５】
本発明に係る結束バンドには、図１に示したように、前記バンド状部材１の長さ方向端部付近に指掛孔１ｄを設けることができる。結束作業に際し、この孔に指先を掛けて引っ張ると、軽い力で十分な結束力が得られ、作業者の身体的負荷が軽減される。前記指掛孔の形状は特に限定されるものではなく、例えば、円形状が挙げられる。
【００２６】
図１には、前記指掛孔１ｄの縁に沿ってキー突起１ｅが形成されている（このキー突起の具体的な形状は図２を参照されたい）。
【００２７】
一方、バックル２のバンド挿通孔２ａには、前記キー突起に嵌合するキー溝２ｄが形成されている。
【００２８】
このように、本発明に係る結束バンドの前記バンド状部材には、キー突起１ｅが形成されるとともに、バックル２のバンド挿通孔にキー溝２ｄが設けられて、バックルに対するバンド状部材の表裏方向が規制されるようになっている。
【００２９】
上記の「表裏方向が規制される」とは、バックルの中へバンド状部材を差し込む際、該バンド状部材の長手方向中心線周りの回動角位置が特定されることをいう。
【００３０】
図１においては、前記係止爪２ｂ，２ｃの先端部の位置に比して、キー溝２ｄは、図の下方に切り込まれた形状になっている。これにより、以下に説明するようにして、キー突起１ｅの通過を規制し、バンド状部材１の表裏が自動的に判別される。
【００３１】
図２は、バンド状部材１を湾曲させて結束姿勢にした状態を描いてあり、バンド状部材の先端がバックル２のバンド挿通孔２ａに対向している。
【００３２】
この状態でキー突起１ｅは図２の上方に突出し、キー溝２ｄは図２の上方に向けて切り込まれた形状であるから、この相対的姿勢においてのみ選択的に挿入が許容される。（この選択的な許容については、図３を参照して以下の段落で詳細に説明する）。
【００３３】
キー突起１ｅの設置箇所は特に限定されないが、通常、前記バンド状部材の長さ方向端部付近である。図２に例示したように指掛孔１ｄの縁に沿わせると、該指掛孔に指先を掛けた際、指先との接触面積が広くなって人体に優しく、力が入れやすい。また、キー突起１ｅの設置箇所は前記バンド状部材の係止歯列が形成された面上に限定されるものではない。
【００３４】
図３（Ａ）は、前掲の図２に示されたバックル２の差込側正面を描いてある。
図３（Ｂ）および（Ｃ）は、前掲の図２に描かれていたバンド状部材１のｇ−ｇ断面であって、（Ｂ）と（Ｃ）とはバンドの表裏を互いに反対方向に向けて描いてある。
【００３５】
図３（Ａ）において、キー溝２ｄは上方に切り込まれた形状をなしている。したがって、（Ｂ）のように、キー突起１ｅを上方へ突出させた姿勢のバンド状部材１は挿通を許容されるが、（Ｃ）のようにキー突起１ｅを下方へ突出させた姿勢のバンド状部材１は挿通を阻止される。これにより作業者は、別段の注意を払わなくてもバンドの表裏を誤る恐れが無い。
【００３６】
図３（Ｄ）は、（Ａ）に示したバックルに対して（Ｂ）姿勢のバンド状部材を差し入れた状態を表す模式図である。
【００３７】
図４は、前記と異なる実施形態を示し、請求項３に対応する。
前掲の図１に比して、バンド状部材１の幅寸法が広くなっており、該幅広のバンド状部材を挿通させるため、バックル２も幅（図の左右方向）が広くなっている。
【００３８】
図４に示した実施形態は、バンド状部材の長さ方向の長孔１ｃが、２個並べて設けられ、その間に補強細バンド１ｆが一体に形成されている。ここで、補強細バンドの「細」とは、バンド状部材の本体に比して細いと言うほどの意味である（必然的にバンド状部材よりも細くなる）。
【００３９】
本実施形態によれば、図１の実施形態に比して、被結束物品の広範囲を締め付けて結束することができ、強固な結束が可能である。図示を省略するが、３個以上の長孔１ｃを設けるとともに、複数本の補強細バンド１ｆを形成することも可能である。
【符号の説明】
【００４０】
１…バンド状部材
１ａ…第１の係止歯列
１ｂ…第２の係止歯列
１ｃ…長孔
１ｄ…指掛孔
１ｅ…キー突起
１ｆ…補強細バンド
２…バックル
２ａ…バンド挿通孔
２ｂ…第１の係止爪
２ｃ…第２の係止爪
２ｄ…キー溝
ｇ…断面を示す符号
【図１】
2017206273.tif 000003
【図２】
2017206273.tif 000004
【図３】
2017206273.tif 000005
【図４】
2017206273.tif 000006
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
係止歯列を備え、かつ一体的に形成されたフレキシブルなバンド状部材と、該バンド状部材を挿通せしめる挿通孔を有するバックルと、該バックルに設けられた係止爪とを備えた結束バンドにおいて、
前記バンド状部材の幅方向中央部に長孔が形成されるとともに、該長孔を介してその両側にそれぞれ係止歯列が形成されており、
かつ、前記バンド状部材にキー突起が形成されるとともに、前記バックルのバンド挿通孔にキー溝が設けられていて、該キー突起とキー溝との嵌合により、バックルに対するバンド状部材の表裏方向が規制される結束バンド。
【請求項２】
前記バンド状部材の長さ方向端部付近に指掛孔が設けられており、
かつ、前記キー突起が該指掛孔の縁に沿って形成されていて、縁の補強を兼ねるとともに、指先との接触面積を広くして人体の負担を軽減する、請求項１に記載の結束バンド。
【請求項３】
前記長孔が複数個設けられていて、隣接する２個の長孔の間に補強細バンドが形成されている、請求項１または２に記載の結束バンド。
【手続補正２】
【補正対象書類名】明細書
【補正対象項目名】００１１
【補正方法】変更
【補正の内容】
【００１１】
本発明は上述の事情に鑑みてなされたものであって、広い範囲を強固に締め付けることができて結束信頼性に優れ、かつ、結束操作に際してバンド状部材の表裏を誤る恐れが無く、しかも、軽い操作力で充分な結束効果を発揮し得て人体に対する負荷の軽い結束バンドを提供することを目的とする。
【手続補正３】
【補正対象書類名】明細書
【補正対象項目名】００１２
【補正方法】変更
【補正の内容】
【００１２】
本発明者は、上記目的を達成するために鋭意検討した結果、本発明の結束バンドを創作するに至った。すなわち、
請求項１に記載の発明は、係止歯列を備え、かつ一体的に形成されたフレキシブルなバンド状部材と、該バンド状部材を挿通せしめる挿通孔を有するバックルと、該バックルに設けられた係止爪とを備えた結束バンドにおいて、
前記バンド状部材の幅方向中央部に長孔が形成されるとともに、該長孔を介してその両側にそれぞれ係止歯列が形成されており、
かつ、前記バンド状部材にキー突起が形成されるとともに、前記バックルのバンド挿通孔にキー溝が設けられていて、該キー突起とキー溝との嵌合により、バックルに対するバンド状部材の表裏方向が規制される結束バンドである。
【手続補正４】
【補正対象書類名】明細書
【補正対象項目名】００１３
【補正方法】変更
【補正の内容】
【００１３】
請求項２に記載の発明は、前記請求項１に記載の発明の特徴に加えて、前記バンド状部材の長さ方向端部付近に指掛孔が設けられており、
かつ、前記キー突起が該指掛孔の縁に沿って形成されていて、縁の補強を兼ねるとともに、指先との接触面積を広くして人体の負担を軽減することを特徴とする結束バンドである。前記「長さ方向端部」とは、バンド状部材がバックルに接続されていない方の自由端をいう。
【手続補正５】
【補正対象書類名】明細書
【補正対象項目名】００１９
【補正方法】変更
【補正の内容】
【００１９】
以下、本発明の１実施形態について、添付図面を参照して詳細に説明する。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
係止歯列を備え、かつ一体的に形成されたフレキシブルなバンド状部材と、該バンド状部材を挿通せしめる挿通孔を有するバックルと、該バックルに設けられた係止爪とを備えた結束バンドにおいて、
前記バンド状部材の幅方向中央部に長孔が形成されるとともに、該長孔を介してその両側にそれぞれ係止歯列が形成されており、
かつ、前記バンド状部材にキー突起が形成されるとともに、前記バックルのバンド挿通孔にキー溝が設けられていて、該キー突起とキー溝との嵌合により、バックルに対するバンド状部材の表裏方向が規制されており、
前記バンド状部材の長さ方向端部付近に指掛孔が設けられており、
かつ、前記キー突起が該指掛孔の縁に沿って形成されていて、縁の補強を兼ねるとともに、指先との接触面積を広くして人体の負担を軽減する結束バンド。
【請求項２】
前記長孔が複数個設けられていて、隣接する２個の長孔の間に補強細バンドが形成されている、請求項１に記載の結束バンド。